(57)【要約】【課題】洗い場側からの排水の逆流を良好に防ぐことのできる浴室ユニットの排水構造を提供する。【解決手段】洗い場面と浴槽載置面３を有する浴室ユニットの床パンには、洗い場面に第１排水口が、浴槽載置面３に第２排水口６と第３排水口７が形成され、第１排水口には排水トラップが接続され、第２排水口６には浴槽１０の排水孔１０ａが接続されて、第２排水口６から延びる第１排水管８が排水トラップに接続され、第１排水管８の第２排水口６下方部分に、第３排水口７から延びる第２排水管９が接続されてなり、浴槽の排水孔１０ａに排水栓が差し込まれた状態で、第２排水管９の第１排水管８への接続部開口Ｋが閉じられるように構成する。【選択図】図２
2007205145.tif 000002
【特許請求の範囲】
【請求項１】
洗い場面と浴槽載置面を有する浴室ユニットの床パンには、前記洗い場面に第１排水口が、前記浴槽載置面に第２排水口と第３排水口が形成され、
前記第１排水口には、排水トラップが接続され、前記第２排水口には、前記浴槽載置面上に載置された浴槽の排水孔が接続されているとともに、
該第２排水口から延びる第１排水管が前記排水トラップに接続され、該第１排水管の前記第２排水口下方部分に、前記第３排水口から延びる第２排水管が接続されてなり、
前記浴槽の排水孔に排水栓が差し込まれた状態で、前記第２排水管の第１排水管への接続部開口が閉じられるように構成したことを特徴とする浴室ユニットの排水構造。
【発明の詳細な説明】
【技術分野】
【０００１】
本発明は、浴室ユニットにおける排水構造に関するものである。
【背景技術】
【０００２】
従来、特許文献１に開示されているように、浴槽の排水口と浴槽パンの排水口を別個に設け、浴槽パンの排水管を浴槽排水口の真下で浴槽の排水管に合流させてからトラップへと接続している浴室ユニットの排水構造が存在する。
【０００３】
また、特許文献２では、浴槽の底に主排水管と補助排水管の排水口を別個に設け、補助排水管から接続管で主排水管の側部に接続している構造が開示されている。
【特許文献１】特開平１０−１７６３５８号公報
【特許文献２】実開昭６４−０４３７８３号公報
【発明の開示】
【発明が解決しようとする課題】
【０００４】
上記特許文献１に開示されている排水構造では、洗い場排水が浴槽パン側へ溢れ出さないように、逆止弁を配設した構造となっており、この逆止弁に汚れが付着すると、作動状態が悪くなるので、掃除しなければならないという問題点があった。
【０００５】
また、特許文献２に開示されている構造は、逆流防止を考慮したものではなく、有効に逆流を防止することができないという問題点があった。
【課題を解決するための手段】
【０００６】
本発明は上記従来の問題点に鑑み案出したものであって、弁を用いることなく良好に逆流を防止することのできる浴室ユニットの排水構造を提供するものであり、その請求項１は、洗い場面と浴槽載置面を有する浴室ユニットの床パンには、前記洗い場面に第１排水口が、前記浴槽載置面に第２排水口と第３排水口が形成され、前記第１排水口には、排水トラップが接続され、前記第２排水口には、前記浴槽載置面上に載置された浴槽の排水孔が接続されているとともに、該第２排水口から延びる第１排水管が前記排水トラップに接続され、該第１排水管の前記第２排水口下方部分に、前記第３排水口から延びる第２排水管が接続されてなり、前記浴槽の排水孔に排水栓が差し込まれた状態で、前記第２排水管の第１排水管への接続部開口が閉じられるように構成したことである。
【発明の効果】
【０００７】
本発明の浴室の排水構造は、洗い場面と浴槽載置面を有する浴室ユニットの床パンには、前記洗い場面に第１排水口が、前記浴槽載置面に第２排水口と第３排水口が形成され、前記第１排水口には、排水トラップが接続され、前記第２排水口には、前記浴槽載置面上に載置された浴槽の排水孔が接続されているとともに、該第２排水口から延びる第１排水管が前記排水トラップに接続され、該第１排水管の前記第２排水口下方部分に、前記第３排水口から延びる第２排水管が接続されてなり、前記浴槽の排水孔に排水栓が差し込まれた状態で、前記第２排水管の第１排水管への接続部開口が閉じられるように構成したことにより、浴槽の排水孔に排水栓を差し込むと、排水栓が第１排水管内に差し込まれて第１排水管が閉じられ、これと同時に第２排水管の接続部の開口が閉じられるために、洗い場側からの洗い場排水の逆流を防ぐことができて、洗い場排水が浴槽載置面上に溢れてくることを簡単な構造で良好に防ぐことができるものとなる。
【実施例】
【０００８】
以下、本発明の実施例を図面に基づいて説明する。
図１は、浴室ユニットの底面を構成する床パンの要部斜視構成図であり、床パン１には、洗い場面２と、浴槽１０を載置することのできる浴槽載置面３が形成されている。
洗い場面２には凹み状に排水枡２ａが形成され、この排水枡２ａに、洗い場面２の排水が流入する第１排水口２ｂが形成され、この第１排水口２ｂの下方には、排水トラップ４が接続されており、排水トラップ４には、排水を排出する排出管５が接続されている。
【０００９】
また、浴槽載置面３側には、第２排水口６と、第３排水口７が形成されており、この第２排水口６には、浴槽載置面３上に浴槽１０が設置された状態で、浴槽１０の底面に開口されている排水孔１０ａが接続され、第２排水口６に浴槽１０内の浴槽排水が流入されるものである。また、第３排水口７には浴槽載置面３上の排水が流入するものである。
第２排水口６と排水トラップ４は、第１排水管８で接続されており、この第１排水管８には、第３排水口７に接続された第２排水管９が接続されている。
【００１０】
図２は、第２排水口と第３排水口の要部拡大縦断面構成図である。
図２に示すように、浴槽載置面３には、パッキン１２を介在させてフランジ１３が取り付けられ、このフランジ１３に上端を支持されて第１排水管８が浴槽載置面３に固定されており、浴槽１０が浴槽載置面３上に設置された状態で、浴槽１０の排水孔１０ａに取り付けられた排水口フランジ１４の下端が第１排水管８の上端の第２排水口６と連通接続されている。
【００１１】
この第１排水管８の前記排水口フランジ１４の下端が当接する垂直部８ａには、横方向へ略水平に突出して接続部８ｂが形成されており、この接続部８ｂに第２排水管９が接続されて、第２排水管９の第１排水管８の垂直部８ａへの接続部分には、接続部開口Ｋが形成されている。
なお、第２排水管９は、浴槽載置面３の第３排水口７にパッキン１５を介して取り付けられた排水口フランジ１６に、上流側の垂直部９ａが取り付けられ、第２排水管９は接続部８ｂに接続される排水ホース９ｂで構成されている。
【００１２】
このような構成において、図３のように、浴槽１０内から排水孔１０ａに排水栓１１を差し込んで、排水孔１０ａを止水した状態では、排水栓１１により第１排水管８が閉じられ、同時に接続部開口Ｋが閉じられるものである。即ち、排水栓１１は、上下方向に長い円筒状の筒部１１ａの上端に上面１１ｂが一体形成されたものであり、筒部１１ａが排水口フランジ１４および第１排水管８の垂直部８ａの内周面に当接するように形成されており、排水栓１１が排水孔１０ａ内に差し込まれることで、筒部１１ａにより接続部開口Ｋが閉じられるように構成されている。
【００１３】
この図３のように、排水栓１１を差し込んだ状態では、浴槽１０を満水にして入浴者が入り浴湯が溢れた時などに、洗い場面２の排水が排水トラップ４から第１排水管８内を逆流してきても、浴槽１０内に上昇することはできず、また、接続部開口Ｋも閉じられているため、第３排水口７側へ溢れ出すこともなく、良好に洗い場２側からの排水の逆流を防ぐことができるものとなる。
【００１４】
なお、図４および図５に示すものは変更例であり、図４および図５では、接続部開口Ｋを開閉できる弁体２２を設けたものであり、この弁体２２は、軸２０を中心として上下動できるアーム２１の下端に設けられ、軸２０は接続部開口Ｋの上方の第１排水管８の垂直部８ａ内周面に設けられており、垂直部８ａ内にアーム２１と弁体２２が配設された構成となっている。
また、排水栓１１の筒部１１ａ内には、上面１１ｂから垂下状に押圧バー１１ｃが設けられている。その他の構成は、図２および図３のものと同一であり、同一部材については、同一符号を付してその説明を省略する。
【００１５】
このような構造では、図４のように、排水栓１１を浴槽１０の排水孔１０ａ内に差し込む前の状態においては、弁体２２が接続部開口Ｋから離れて、接続部開口Ｋが開いた状態となっており、この状態では、浴槽１０内の浴槽水および浴槽載置面３上の排水を第２排水口６および第３排水口７から良好に排水トラップ４側へ流して排水できるものである。
【００１６】
図５のように、排水孔１０ａ内に排水栓１１を差し込んだ状態では、排水栓１１の筒部１１ａの外周が排水口フランジ１４の内周に密着し、この状態で押圧バー１１ｃの下端がアーム２１を下方側へ押圧し、弁体２２が接続部開口Ｋに当接して、弁体２２により接続部開口Ｋが閉止されるものである。
【００１７】
この図５の状態では、排水トラップ４側から洗い場排水が逆流してきても、接続部開口Ｋは閉じられているため、第２排水管９を通り第３排水口７から洗い場排水が溢れるようなことがなく、また浴槽１０内にも洗い場排水が逆流することが防がれるものとなる。
なお、この例における弁体２２の開閉は排水栓１１による押圧で行われるので、逆止弁とは異なり、汚れても作動状態が悪くなることはない。
【図面の簡単な説明】
【００１８】
【図１】浴槽と床パンの分解斜視構成図である。
【図２】図１における浴槽載置面側に形成された第２排水口と第３排水口の要部縦断面拡大構成図である。
【図３】浴槽の排水孔内に排水栓を差し込んだ状態の縦断面拡大構成図である。
【図４】変更例を示す排水栓の差込前の縦断面拡大構成図である。
【図５】排水栓を差し込んだ状態の断面拡大構成図である。
【符号の説明】
【００１９】
１  床パン
２  洗い場面
２ａ  排水枡
２ｂ  第１排水口
３  浴槽載置面
４  排水トラップ
５  排出管
６  第２排水口
７  第３排水口
８  第１排水管
８ａ  垂直部
８ｂ  接続部
９  第２排水管
９ａ  垂直部
９ｂ  排水ホース
１０  浴槽
１０ａ  排水孔
１１  排水栓
１１ａ  筒部
１１ｂ  上面
１１ｃ  押圧バー
１３  フランジ
１４，１６  排水口フランジ
Ｋ  接続部開口
【図１】
2007205145.tif 000003
【図２】
2007205145.tif 000004
【図３】
2007205145.tif 000005
【図４】
2007205145.tif 000006
【図５】
2007205145.tif 000007